【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
第１音声信号を取得する第１取得手段と、
参照期間を設定する第１設定手段と、
前記参照期間と同じ時間幅を有する期間であって、前記参照期間とは異なる期間である、複数の比較期間を設定する第２設定手段と、
前記第１音声信号に対する処理において取得対象の周波数帯域である対象帯域以外の周波数帯域の音声信号を減衰させる減衰処理を前記第１音声信号に施すことにより、第２音声信号を取得する第２取得手段と、
前記参照期間における第２音声信号を各比較期間における第２音声信号と比較することにより、複数の比較期間の中から、前記参照期間における第２音声信号と類似した第２音声信号の期間である複数の類似期間を検出する検出手段と、
前記参照期間における第１音声信号と、前記複数の類似期間のそれぞれにおける第１音声信号と、に基づいて、前記参照期間における音声信号として設定すべき音声信号である置換信号を生成する生成手段と、
前記参照期間における第１音声信号を前記置換信号に置換する置換手段と、
を有することを特徴とする音声処理装置。
【請求項２】
前記減衰処理は、前記対象帯域の音声信号を抽出する抽出処理である
ことを特徴とする請求項１に記載の音声処理装置。
【請求項３】
前記減衰処理は、前記対象帯域の音声信号を通過させるフィルタを用いたフィルタ処理である
ことを特徴とする請求項１または２に記載の音声処理装置。
【請求項４】
前記対象帯域は、５００Ｈｚ以上且つ１５００Ｈｚ以下の周波数帯域を含む
ことを特徴とする請求項１〜３のいずれか１項に記載の音声処理装置。
【請求項５】
複数の動作モードにそれぞれ対応する複数の周波数帯域が予め定められており、
前記音声処理装置は、前記複数の周波数帯域の中から、設定されている動作モードに対応する周波数帯域を、前記対象帯域として選択する選択手段、をさらに有する
ことを特徴とする請求項１〜４のいずれか１項に記載の音声処理装置。
【請求項６】
前記第１音声信号に基づいて前記対象帯域を決定する決定手段、をさらに有する
ことを特徴とする請求項１〜４のいずれか１項に記載の音声処理装置。
【請求項７】
前記決定手段は、前記第１音声信号を用いた周波数解析の結果に基づいて前記対象帯域を決定する
ことを特徴とする請求項６に記載の音声処理装置。
【請求項８】
前記決定手段は、前記第１音声信号における第１フォルマントの周波数を含む周波数帯域を、前記対象帯域として決定する
ことを特徴とする請求項６または７に記載の音声処理装置。
【請求項９】
前記生成手段は、前記参照期間における第１音声信号と、前記複数の類似期間のそれぞれにおける第１音声信号と、を重みづけ加算することにより、前記置換信号を生成する
ことを特徴とする請求項１〜８のいずれか１項に記載の音声処理装置。
【請求項１０】
前記生成手段は、前記類似期間における第１音声信号の重みとして、前記参照期間における第２音声信号との第２音声信号の類似度が高いほど大きい重みを使用する
ことを特徴とする請求項９に記載の音声処理装置。
【請求項１１】
前記検出手段は、前記参照期間における第２音声信号との第２音声信号の類似度が高い比較期間から順番にＮ個（Ｎは２以上の整数）の比較期間のそれぞれを、前記類似期間として検出する
ことを特徴とする請求項１〜１０のいずれか１項に記載の音声処理装置。
【請求項１２】
光学レンズと、
前記光学レンズを駆動する駆動手段と、
を有し、
前記第１設定手段は、前記光学レンズの駆動期間を前記参照期間として設定する
ことを特徴とする請求項１〜１１のいずれか１項に記載の音声処理装置。
【請求項１３】
第１音声信号を取得する第１取得ステップと、
参照期間を設定する第１設定ステップと、
前記参照期間と同じ時間幅を有する期間であって、前記参照期間とは異なる期間である、複数の比較期間を設定する第２設定ステップと、
前記第１音声信号に対する処理において取得対象の周波数帯域である対象帯域以外の周波数帯域の音声信号を減衰させる減衰処理を前記第１音声信号に施すことにより、第２音声信号を取得する第２取得ステップと、
前記参照期間における第２音声信号を各比較期間における第２音声信号と比較することにより、複数の比較期間の中から、前記参照期間における第２音声信号と類似した第２音声信号の期間である複数の類似期間を検出する検出ステップと、
前記参照期間における第１音声信号と、前記複数の類似期間のそれぞれにおける第１音声信号と、に基づいて、前記参照期間における音声信号として設定すべき音声信号である置換信号を生成する生成ステップと、
前記参照期間における第１音声信号を前記置換信号に置換する置換ステップと、
を有することを特徴とする音声処理方法。
【請求項１４】
請求項１３に記載の音声処理方法の各ステップをコンピュータに実行させることを特徴とするプログラム。
【手続補正２】
【補正対象書類名】明細書
【補正対象項目名】０００６
【補正方法】変更
【補正の内容】
【０００６】
本発明の第１の態様は、
第１音声信号を取得する第１取得手段と、
参照期間を設定する第１設定手段と、
前記参照期間と同じ時間幅を有する期間であって、前記参照期間とは異なる期間である、複数の比較期間を設定する第２設定手段と、
前記第１音声信号に対する処理において取得対象の周波数帯域である対象帯域以外の周波数帯域の音声信号を減衰させる減衰処理を前記第１音声信号に施すことにより、第２音声信号を取得する第２取得手段と、
前記参照期間における第２音声信号を各比較期間における第２音声信号と比較することにより、複数の比較期間の中から、前記参照期間における第２音声信号と類似した第２音声信号の期間である複数の類似期間を検出する検出手段と、
前記参照期間における第１音声信号と、前記複数の類似期間のそれぞれにおける第１音声信号と、に基づいて、前記参照期間における音声信号として設定すべき音声信号である置換信号を生成する生成手段と、
前記参照期間における第１音声信号を前記置換信号に置換する置換手段と、
を有することを特徴とする音声処理装置である。
【手続補正３】
【補正対象書類名】明細書
【補正対象項目名】０００７
【補正方法】変更
【補正の内容】
【０００７】
本発明の第２の態様は、
第１音声信号を取得する第１取得ステップと、
参照期間を設定する第１設定ステップと、
前記参照期間と同じ時間幅を有する期間であって、前記参照期間とは異なる期間である、複数の比較期間を設定する第２設定ステップと、
前記第１音声信号に対する処理において取得対象の周波数帯域である対象帯域以外の周波数帯域の音声信号を減衰させる減衰処理を前記第１音声信号に施すことにより、第２音声信号を取得する第２取得ステップと、
前記参照期間における第２音声信号を各比較期間における第２音声信号と比較することにより、複数の比較期間の中から、前記参照期間における第２音声信号と類似した第２音声信号の期間である複数の類似期間を検出する検出ステップと、
前記参照期間における第１音声信号と、前記複数の類似期間のそれぞれにおける第１音声信号と、に基づいて、前記参照期間における音声信号として設定すべき音声信号である置換信号を生成する生成ステップと、
前記参照期間における第１音声信号を前記置換信号に置換する置換ステップと、
を有することを特徴とする音声処理方法である。